(57)【要約】      （修正有）【課題】ソフトダーツゲーム機をハードダーツボードゲーム用のゲーム機に迅速かつ正確に変換できるようにしたダーツゲーム機を提供する。【解決手段】ソフトダーツボード１が一体的に組み付けられたソフトダーツゲーム機用の筺体２と、この筺体２に取り付けられる取付ブラケット１０と、この取付ブラケット１０に係止ピン１７等からなる係止具を介して着脱可能に係止される取付具本体１１と、この取付具本体１１にたいしてハードダーツボード５を支持させる支持ブラケットからなる支持部を備えた取付具６を有し、筺体２の前面から上記支持部に支持されたハードダーツボード５の前面までの距離を予め調節して位置決めする位置決め手段を上記取付具６に設けた。【選択図】図２
0003157587.tif 000002
【実用新案登録請求の範囲】
【請求項１】
ソフトダーツボードが一体的に組み付けられたソフトダーツゲーム機用の筺体と、この筺体に取り付けられる取付ブラケットと、この取付ブラケットに係止具を介して着脱可能に係止される取付具本体と、この取付具本体にハードダーツボードを支持させる支持部を備えた取付具を有し、筺体の前面から上記支持部に支持されたハードダーツボードの前面までの距離を予め調節して位置決めする位置決め手段を上記取付具に設けたことを特徴とするダーツゲーム機。
【請求項２】
取付具本体に取り付けられる支持ブラケットにより上記支持部が構成されるとともに、この支持ブラケットと取付具本体と間にシムが配設されることにより、上記筺体の前面からハードダーツボードの前面までの距離が調節されるように構成されたことを特徴とする請求項１に記載のダーツゲーム機。
【請求項３】
上記取付具本体に、ハードダーツボードへ光を照射する照明具を取り付けたことを特徴とする請求項１または２に記載のダーツゲーム機。
【請求項４】
上記取付具本体にクッション材を取り付けることにより、ハードダーツボードの周縁部を覆うように構成したことを特徴とする請求項１〜３の何れか１項に記載のダーツゲーム機。
【請求項５】
上記取付ブラケットには、この取付ブラケットを筺体に取り付ける取付ボルトの挿通孔が前後方向に延びるように形成され、この取付ボルトおよび挿通孔により上記位置決め手段が構成されたことを特徴とする請求項１〜４の何れか１項に記載のダーツゲーム機。
【考案の詳細な説明】
【技術分野】  本考案は、金属製ディプを有するハードダーツを使用したハードダーツ競技およびプラスチック製ディプを有するソフトダーツを使用したソフトダーツ競技の両方に適用可能なダーツゲーム機の改良に関するものである。
【背景技術】  従来、下記特許文献１に示されるように、ソフトダーツゲーム機の筐体からソフトダーツボードを取外した後に、該ソフトダーツゲーム機の筐体に取り付けられ、手前側にはハードダーツボードを取り付けることが可能な平面が形成され、該平面には上記ソフトダーツボードの中心位置と同位置を示す目印が付けられたハードダーツボード取付具を備えたソフトダーツゲーム機において、上記筐体に取り付けられたソフトダーツボードの手前面と、上記ハードダーツボード取付具によりソフトダーツゲーム機に取り付けられたハードダーツボードの手前面との水平距離が、ソフトダーツ競技のルールで規定されたソフトダーツボードの手前面からスローライン迄の水平距離と、ハードダーツ競技のルールで規定されたハードダーツボードの手前面からスローラインまでの水平距離の差と、同じ距離になるように設定したダーツゲーム機が知られている。
【先行技術文献】
【特許文献】
【特許文献１】  特開２００９−１７９３３号公報
【考案の概要】
【考案が解決しようとする課題】  上記特許文献１に開示されたダーツゲーム機によれば、ソフトダーツゲーム機の前面部に形成された円形開口部にソフトダーツボードを挿入して取り付けるとともに、ソフトダーツ手前面から床に引かれたスローラインまでの水平距離を、ソフトダーツ競技に規定されている距離と正確に合致させることにより、該スローラインを使用してソフトダーツ競技を適正に行うことができる。
そして、上記ソフトダーツボードをソフトダーツゲーム機より取り外して、ハードダーツボード取付具の突状部を上記ソフトダーツゲーム機の円形開口部に挿入して取り付けるとともに、その前面にハードダーツボードを取り付けた状態では、上記ソフトダーツボード手前面からハードダーツボードの手前面までの距離が、ソフトダーツ競技のルールで規定されたソフトダーツボードの手前面からスローラインまでの水平距離と、ハードダーツ競技のルールで規定されたハードダーツボードの手前面からスローライン迄の水平距離の差とが同一となるように、上記突状部の突出量を予め設定しておくことにより、ハードダーツ競技を行う際にも、上記ソフトダーツ競技で使用したスローラインを使用して適正に競技を行い得るように構成されている。
しかし、上記ハードダーツボード取付具の突状部、またはその取付部等には製作誤差が生じることが避けられないので、ハードダーツボード取付具をソフトダーツゲーム機に着脱するだけでは、ソフトダーツ手前面から予め床に引かれたスローラインまでの水平距離と、フトダーツゲーム機に取り付けられたハードダーツボードの手前面との水平距離とをそれぞれソフトダーツ競技に規定されている距離に正確に合致させことができない。このため、上記製作誤差を吸収するため微調整が常に必要であり、ソフトダーツゲーム機をハードダーツボードゲーム用のゲーム機に迅速かつ正確に変換することが困難であった。
本考案は、上記の問題点に鑑みてなされたものであり、ソフトダーツゲーム機をハードダーツボードゲーム用のゲーム機に迅速かつ正確に変換できるようにすることを目的としている。
【課題を解決するための手段】  請求項１に係る考案は、ソフトダーツボードが一体的に組み付けられたソフトダーツゲーム機用の筺体と、この筺体に取り付けられる取付ブラケットと、この取付ブラケットに係止具を介して着脱可能に係止される取付具本体と、この取付具本体にハードダーツボードを支持させる支持部を備えた取付具を有し、筺体の前面から上記支持部に支持されたハードダーツボードの前面までの距離を予め調節して位置決めする位置決め手段を上記取付具に設けたものである。
請求項２に係る考案は、上記請求項１に記載のダーツゲーム機において、取付具本体に取り付けられる支持ブラケットにより上記支持部が構成されるとともに、この支持ブラケットと取付具本体と間にシムが配設されることにより、上記筺体の前面からハードダーツボードの前面までの距離が調節されるように構成されたものである。
請求項３に係る考案は、上記請求項１または２に記載のダーツゲーム機において、上記取付具本体に、ハードダーツボードへ光を照射する照明具を取り付けたものである。
請求項４に係る考案は、上記請求項１〜３の何れか１項に記載のダーツゲーム機において、上記取付具本体にクッション材を取り付けることにより、ハードダーツボードの周縁部を覆うように構成したものである。
請求項５に係る考案は、上記請求項１〜４の何れか１項に記載のダーツゲーム機において、上記取付ブラケットには、この取付ブラケットを筺体に取り付ける取付ボルトの挿通孔が前後方向に延びるように形成され、この取付ボルトおよび挿通孔により上記位置決め手段が構成されたものである。
【考案の効果】  請求項１に係る考案では、ソフトダーツボードが一体的に組み付けられたソフトダーツゲーム機用の筺体と、この筺体に取り付けられる取付ブラケットと、この取付ブラケットに係止具を介して着脱可能に係止される取付具本体と、この取付具本体にハードダーツボードを支持させる支持部を備えた取付具を設けるとともに、筺体の前面から上記支持部に支持されたハードダーツボードの前面までの距離を予め調節して位置決めする位置決め手段を上記取付具に設けたため、係止ピン等からなる係止具を介して上記取付具本体を取付ブラケットに係止するだけで、ハードダーツボードの取付具および上記筺体等に生じた製作誤差を吸収することができ、ゲームルールで定められた前後位置に上記ハードダーツボードを容易かつ適正に設置できるという利点がある。
請求項２に係る考案では、取付具本体に取り付けられる支持ブラケットにより上記支持部を構成するとともに、この支持ブラケットと取付具本体と間にシムを配設することにより、上記筺体の前面からハードダーツボードの前面までの距離を調節するように構成したため、上記ダーツゲーム機をゲーム上に設置する際に、上記支持ブラケット１３と取付具本体と間に配設されるシムの厚さおよび枚数を予め適正に設定しておけば、上記係止ピン等からなる係止具を介して上記取付具本体を取付ブラケットに係止するだけで、ゲームルールで定められた前後位置に上記ハードダーツボードを容易かつ適正に設置できるという利点がある。
請求項３に係る考案では、照明具を取付具本体に取り付けたため、上記取付具本体を取付ブラケットに係止してハードダーツボードを筺体に設置する作業を行うのと同時に、上記照明具から照射される照明光により明るく照らし出すように構成できるという利点がある。
請求項４に係る考案では、ウレタンゴム材等からなるクッション材を上記取付具本体に取り付けることにより、ハードダーツボードの周縁部を覆うように構成したため、金属製ディップを有するハードダーツを使用したゲームを行う際に、このハードダーツが取付具本体に当たって損傷することを上記クッション材により効果的に防止することができる。
請求項５に係る考案によれば、上記取付ボルトにより取付ブラケットを筺体に固定する際に、上記挿通孔を利用して筺体の前面からハードダーツボードの前面までの距離を予め調節しておくことにより、取付具本体を取付ブラケットに係止するだけで、ゲームルールで定められた前後位置に上記ハードダーツボードを容易かつ適正に設置できるという利点がある。
【図面の簡単な説明】
【図１】  本考案に係るダーツゲーム機の実施形態を示す正面図である。
【図２】  本考案に係るダーツゲーム機の実施形態を示す側面断面図である。
【図３】  上記ダーツゲーム機の構成を示す分解断面図である。
【図４】  取付具の構成を示す分解斜視図である。
【図５】  ハードダーツボードの支持部の構造を示す側面断面図である。
【図６】  ハードダーツボードの支持部の構造を示す正面断面図である。
【図７】  側部ブラケットの具体的構成を示す正面図である。
【図８】  側部ブラケットの具体的構成を示す平面断面図である。
【図９】  取付具本体を取り外した状態を示す側面断面図である。
【図１０】  本考案に係るダーツゲーム機の別の実施形態を示す平面図である。
【図１１】  本考案に係るダーツゲーム機のさらに別の実施形態を示す平面断面図である。
【図１２】  取付具本体の側辺部を支持した状態を示す側面図である。
【考案を実施するための形態】
図１〜図４は、本考案に係るダーツゲーム機の第１実施形態を示している。このダーツゲーム機は、ソフトダーツボード１が一体的に組み付けられたソフトダーツゲーム機用の筺体２と、この筺体２の上面に設置されるモニター３と、下記ハードダーツボード５に光を照射する市販品の蛍光灯ランプ等からなる照明具４と、上記筺体２にハードダーツボード５を取り付けるための取付具６とを有している。
上記ソフトダーツボード１は、ソフトダーツのプラスチック製ディプが突き刺さる多数の孔部を有するとともに、ソフトダーツが突き刺さったことを検出するセンサが所定の位置に設けられたものであり、このセンサにより検出された得点を上記モニター３に出力して表示するように構成されている。
一方、上記ハードダーツボード５は、サイザル麻の繊維を圧縮してその外周部をスチールバンドで締め付けられる等により形成され、金属製ディプを有するハードダーツが突き刺さるように構成されたものである。
上記筺体２は、左右一対の側板７と、その後端部に配設された背板８と、上記側板７および背板８の上端部を覆うように設置された上板９とを有し、上記背板８の前面上部にソフトダーツボード１が固定されている。
上記取付具６は、筺体２の上板９に固定される取付ブラケット１０と、上記筺体２に取付ブラケット１０を介して着脱可能に設置される取付具本体１１と、その側辺部に設けられた左右一対の側部ブラケット１２と、上記ハードダーツボード５を支持する支持ブラケット１３とを備えている。また、上記取付具本体１１の表面には、ウレタンゴム材等からなるドーナツ盤状のクッション材１４が取り付けられて、ハードダーツボード５の周縁部が覆われるようになっている。
上記取付ブラケット１０は、モニター３の底面部に対応した大きさを有する鋼板材等からなり、モニター３に対する配線用の透孔１５が形成されている。また、上記取付ブラケット１０の前辺部には、商品名または店名等の表示部１６が上方に突出するように折り曲げられて形成されるともに、上記取付具本体１１を取り付けるための係止ピン１７が挿入される係合孔１８が左右に設けられている。
上記取付具本体１１は、支持ブラケット１３の取付孔１９が中央部に形成された円形状板２０と、その上辺部から前方に向けて延びる水平部２１と、その左右両側辺部に溶接されて固定された補強リブ２２と、上記水平部２１の前端部から上方に起立する起立部２３と、その上端部から後方側に延びるように折り返された上面部２４とからなっている。この上面部２４には、上記係止ピン１７の挿通孔２５が形成されている。また、上記起立部２３の左右には、照明具４の取付孔２６が形成されている。
上記支持ブラケット１３からなるハードダーツボード５の支持部は、図５および図６に示すように、左右一対の固定部２７と、その前方側に配設された取付部２８とを有し、これにより平面視でハット形に形成されている。上記固定部２７には、上下方向に延びる長孔２９が形成されている。また、上記取付部２８には、ハードダーツボード５の裏面に突設された係止部３０が挿通されて係止される取付孔３１が取付部２８の上端部から下方に延びるように形成されている。そして、上記取付ブラケット１０を介してソフトダーツゲーム機用の筺体２に取り付けられる取付具本体１１に対し、取付ボルト３２により上記支持ブラケット１３が予め位置決めされた状態で取り付けられようになっている。
すなわち、上記支持ブラケット１３の裏面側には、所定の厚みを有するシム３３が配設され、その枚数が必要数となるように選定されることにより、図２に示すように、上記取付具６を介して筺体２に取り付けられるハードダーツボード５から上記スローラインまでの距離Ｌ１が調節されるようになっている。これにより上記筺体２に予め組み込まれたソフトダーツボード１の前面から床面に設置されたスローライン（図示せず）までの距離Ｌ２と、上記距離Ｌ１との間隔（Ｌ２−Ｌ１）が、ゲームルールで定められた距離の差に対応した値となるように、上記筺体２の前面からハードダーツボード５の前面までの距離が調節ことになる。
また、上記支持ブラケット１３用の取付ボルト３２を、固定部２７の長孔２９に挿通させるとともに、取付具本体１１形成された取付孔１９に螺着して固定する際に、筺体２の下端部から上記ハードダーツボード５の中心部までの距離Ｈが適正値となるように、取付具本体１１の上端部から上記支持ブラケット１３に形成された取付孔３１の底部まで距離が調節されるようになっている。
上記側部ブラケット１２は、図７および図８に示すように、取付具本体１１の下部側面に溶接されて固定される固定部３４と、この固定部３４から前方に延びるように設置された側辺部３５と、その前端部から外方に向けて延びるように折曲された取付部３６とを有し、この取付部３６に固定されたナットプレート３７により上記取付具本体１１の幅方向変位が規制されるようになっている。
すなわち、上記側部ブラケット１２の取付部３６には幅方向に延びる長孔３８が形成され、この長孔３８を挿通した係止ボルト３９のねじ軸をナットプレート３７のねじ孔に螺着してナットプレート３７を仮止めした後、上記係止ボルト３９を長孔３８に沿ってスライド変位させることにより、筺体２の側板７に形成された縦溝部４０の底面に上記ナットプレート３７の側端部を当接させる。この状態で、上記係止ボルト３９を締め付けてナットプレート３７を側部ブラケット１２の取付部３６に固定することにより、上記取付具本体１１の側方移動を拘束するように構成されている。
上記のように構成されたダーツゲームにより、プラスチック製ディプを有するソフトダーツを使用したソフトダーツ競技を行う際には、上記係止ピン１７を取付ブラケット１０の係合孔１８から抜き取る。そして、筺体２内に予め組み込まれた上記ソフトダーツボード１の前面を覆うように設置された取付具本体１１を、取付ブラケット１０から取り外すことにより、図９に示すように、上記筺体２の前面開口部を介してソフトダーツボード１を外部に露出させる。このようにしてソフトダーツを上記ソフトダーツボード１に突き刺すことが可能となる。
一方、金属製ディプを有するハードダーツを使用したハードダーツ競技を行う際には、上記側部ブラケット１２、び支持ブラケット１３および照明具４等が一体に組み付けられた取付具本体１１の上面部２４を、取付ブラケット１０の前辺部上に載置した状態で、上記係止ピン１７を取付具本体１１の挿通孔２５および取付ブラケット１０係合孔１８に挿入することにより、取付具本体１１を取付ブラケット１０に係止する。
また、上記側部ブラケット１２の取付部３６に取り付けられたナットプレート３７の側端部を筺体２の縦溝部４０の底面に当接させて係止することにより、上記取付ブラケット１０を介して取付具本体１１を筺体２に取り付けた後、図２に示すように、上記ハードダーツボード５の係止部３０を支持ブラケット１３の取付孔３１に挿通して係止する。これにより、ハードダーツボード５の前後位置等を位置決めした状態で、このハードダーツボード５を上記筺体２に取り付けることができ、ハードダーツを上記ハードダーツボード５に突き刺すことが可能となる。
上記のようにソフトダーツボード１が一体的に組み付けられたソフトダーツゲーム機用の筺体２と、この筺体２に取り付けられる取付ブラケット１０と、この取付ブラケット１０に上記係止ピン１７等からなる係止具を介して着脱可能に係止される取付具本体１１と、この取付具本体１１にハードダーツボード５を支持させる上記支持ブラケット１３等の支持部を備えた取付具６を設け、筺体２の前面から上記支持部に支持されたハードダーツボード５の前面までの距離を予め調節して位置決めする位置決め手段を上記取付具６に設けたため、ソフトダーツゲーム機をハードダーツボードゲーム用のゲーム機に迅速かつ正確に変換できるという利点がある。
すなわち、上記実施形態では、取付具本体１１に取り付けられる支持ブラケット１３により上記支持部を構成するとともに、この支持ブラケット１３と取付具本体１１と間にシム３３を配設することにより、上記筺体２の前面からハードダーツボード５の前面までの距離を予め調節するように構成したため、上記ダーツゲーム機をゲーム上に設置する際に、上記支持ブラケット１３と取付具本体１１と間に配設されるシム３３の厚さおよび枚数を予め適正に設定しておけば、上記係止ピン１７等からなる係止具を介して上記取付具本体１１を取付ブラケット１０に取り付けるだけで、ハードダーツボード５の取付具６および上記筺体２等に生じた製作誤差を吸収することができる。したがって、上記ハードダーツボード５を筺体２に組み付ける度に、その前後位置を微調整する等の繁雑な作業を要することなく、ゲームルールで定められた前後位置に上記ハードダーツボード５を容易かつ適正に設置できるという利点がある。
また、上記実施形態では、取付具本体１１の起立部２３に、ハードダーツボード５へ光を照射する照明具４の取付孔２６を設けることにより、照明具４を取付具本体１１に取り付けるように構成したため、上記取付具本体１１を筺体２に取り付けることによりハードダーツボード５を設置する作業を行うのと同時に、上記照明具４から照射される照明光により明るく照らし出すことができるという利点がある。
さらに、上記実施形態では、取付具本体１１に、ウレタンゴム材等からなるドーナツ盤状のクッション材１４を取り付けることにより、ハードダーツボード５の周縁部を覆って保護するように構成したため、金属製ディップを有するハードダーツを使用したゲームを行う際に、このハードダーツが取付具本体１１に当たって損傷すること等を効果的に防止することができる。
なお、上記支持ブラケット１３と取付具本体１１と間に予めシム３３を配設することにより、上記筺体２の前面からハードダーツボード５の前面までの距離を調節するように構成した上記実施形態に代え、またはこの構成とともに、図１０に示すように、取付具本体１１が係止される取付ブラケット１０ａに、この取付ブラケット１０ａを筺体２に取り付ける取付ボルト４１の挿通孔４２を前後方向に延びるように形成してもよい。このように構成した場合においても、上記取付ボルト４１により取付ブラケット１０ａを筺体２に固定する際に、挿通孔４２を利用して上記筺体２の前面からハードダーツボード５の前面までの距離を予め調節しておくことにより、上記ハードダーツボード５を筺体２に組み付ける度に、その前後位置を微調整する等の繁雑な作業を要することなく、ゲームルールで定められた前後位置に上記ハードダーツボード５を容易かつ適正に設置できるという利点がある。
また、上記側部ブラケット１２の取付部３６に取り付けられるナットプレート３７により取付具本体１１の側方移動を拘束するように構成した上記実施形態に代え、図１１および図１２に示すように、取付具本体１１の左右両側辺部に設けられた側部ブラケット１２ａに、筺体２の側板７の外側面に設置される側辺部４３を設けるとともに、この側辺部４３に形成された係止孔４４を、上記側板７の外側面に突設された係止ボルト４５に外嵌することにより、取付具本体１１の側辺部を筺体２の側板７に係止するように構成してもよい。
【符号の説明】  １  ソフトダーツボード
２  筺体
４  照明具
５  ハードダーツボード
６  取付具
１０  取付ブラケット
１１  取付具本体
１３  支持ブラケット（支持部）
１４  クッション材
３３  シム（位置決め手段）
４２  挿通孔（位置決め手段）
【図１】
0003157587.tif 000003
【図２】
0003157587.tif 000004
【図３】
0003157587.tif 000005
【図４】
0003157587.tif 000006
【図５】
0003157587.tif 000007
【図６】
0003157587.tif 000008
【図７】
0003157587.tif 000009
【図８】
0003157587.tif 000010
【図９】
0003157587.tif 000011
【図１０】
0003157587.tif 000012
【図１１】
0003157587.tif 000013
【図１２】
0003157587.tif 000014